(57)【要約】【課題】表示パネルの強度を確保しつつ、薄型化および狭額縁化を実現できる表示装置、および表示装置の光学部材の支持構造を提供する。【解決手段】前面の画面に画像を表示する液晶セル２０と、液晶セル２０の背面側を覆うように配置され、液晶セル２０の背面側に向けて光を照射するバックライトユニット４０と、バックライトユニット４０の背面側に配置されるリアフレーム５０と、液晶セル２０の周縁部を前面側から押さえつつ、リアフレーム５０に対して固定されるフロントキャビネット１０と、液晶セル２０とバックライトユニット４０との間に設けられ、バックライトユニット４０の周縁部の少なくとも一部を前面側から押さえる、金属材料からなるセルガイド３０と、を備え、セルガイド３０は、液晶セル２０と接する位置に配置されクッション部材７２、および、バックライトユニット４０に接する位置に配置されるクッション部材７３を有する。【選択図】図３Ｂ
2015040921.tif 000002
【特許請求の範囲】
【請求項１】
前面の画面に画像を表示する表示パネルと、
前記表示パネルの背面側を覆うように配置され、前記表示パネルの背面側に向けて光を照射するバックライトユニットと、
前記バックライトユニットの背面側に配置される背面部材と、
前記表示パネルの周縁部を前面側から押さえ、かつ、前記背面部材に対して固定される枠状部材と、
前記表示パネルと前記バックライトユニットとの間に設けられ、前記バックライトユニットの周縁部の少なくとも一部を前面側から押さえる、金属材料と同等以上の剛性を有する材料からなる支持部材と、を備え、
前記支持部材は、前記表示パネルと接する位置に配置され、かつ、前記表示パネルの表面を保護する第一保護部材、および、前記バックライトユニットに接する位置に配置され、かつ、前記バックライトユニットの表面を保護する第二保護部材の少なくとも一方を有する
表示装置。
【請求項２】
前記支持部材における前記画面中央よりの端部では、前記バックライトユニットから照射される光が前記支持部材で反射されることを防ぐ反射防止処理が施されている
請求項１に記載の表示装置。
【請求項３】
前記支持部材は、前記第二保護部材を有し、
前記支持部材における前記画面中央よりの端部では、前記第二保護部材が配置されることにより、前記反射防止処理が施されている
請求項２に記載の表示装置。
【請求項４】
前記支持部材は、
前記バックライトユニットの周縁部を前面側から押さえる第一支持部と、
前記第一支持部の外周縁から背面側に向けて連続して形成され、かつ、前記バックライトユニットの側方に配置される第二支持部と、により構成されている
請求項１から３のいずれか１項に記載の表示装置。
【請求項５】
さらに、複数の電気部品を備え、
前記支持部材は、電気伝導性を有する材料からなり、前記複数の電気部品のうちで前記支持部材の側方に配置される電気部品との間で絶縁するための絶縁処理が施されている
請求項１から４のいずれか１項に記載の表示装置。
【請求項６】
前記支持部材は、前記複数の電気部品のうちで前記支持部材の側方に配置される電気部品との間において、熱的に接続されている
請求項５に記載の表示装置。
【請求項７】
前記バックライトユニットは、
光源と、前記光源からの光を内部に導入し、かつ、内部に導入した光を前記表示パネルの背面側に向けて照射する導光板と、前記導光板の前面側に配置される光学シートとを有し、
前記導光板および前記光学シートのそれぞれは、その全ての外周縁が、前方から視た場合に、前記枠状部材および前記支持部材の少なくとも一方に重なっている積層状態で配置され、
前記表示装置は、さらに、
前記導光板、前記光学シート、および前記支持部材のそれぞれと、前記枠状部材および前記背面部材の少なくとも一方とが、前後方向に交差する方向へ相対的に移動することを規制する位置規制部を備える
請求項１から６のいずれか１項に記載の表示装置。
【請求項８】
前記位置規制部は、
前記背面部材または前記枠状部材に形成される突起部と、
前記導光板の端部に形成される貫通部であって、前記積層状態で前記導光板の端部において前記突起部に貫通される第一貫通部と、
前記光学シートに形成される貫通部であって、前記積層状態で前記第一貫通部とともに前記突起部に貫通される第二貫通部と、
前記支持部材に形成される貫通部であって、前記積層状態で前記第一貫通部および前記第二貫通部ともに前記突起部に貫通される第三貫通部と、により構成される
請求項７に記載の表示装置。
【請求項９】
前記表示パネルは、四角形であり、
前記バックライトユニットは、前記表示パネルの形状に対応した四角形であり、
前記支持部材は、前記バックライトユニットの周縁部である４辺を前面側から押さえる部材であり、かつ、当該４辺のそれぞれに対応した位置に、前記表示パネルを位置決めするための少なくとも４つの切り起し部が形成されている
請求項７または８に記載の表示装置。
【請求項１０】
請求項１から９のいずれか１項に記載の表示装置の支持部材。
【発明の詳細な説明】
【技術分野】
【０００１】
本発明は、表示装置、および、表示装置における表示パネルおよびバックライトユニットを支持する支持部材の支持構造などに関する。
【背景技術】
【０００２】
従来、液晶パネルの強度を確保する目的で、液晶パネルの周縁部を前面側から保持する金属製のベゼルが設けられている液晶表示装置がある。このような液晶表示装置に対して、薄型化、および、狭額縁化のために、金属製のベゼルを省略しつつ、液晶パネルの強度を確保している表示装置が開示されている（例えば特許文献１参照）。
【先行技術文献】
【特許文献】
【０００３】
【特許文献１】特開２００９−１３４２６９号公報
【発明の概要】
【発明が解決しようとする課題】
【０００４】
特許文献１に記載の表示装置では、金属製のベゼルを省略する代わりに、液晶パネルの周縁部を前面側から押さえている樹脂製のキャビネットを補強することにより、液晶パネルの強度を確保している。しかしながら、特許文献１に記載の表示装置では、金属製の部材を省略しているため、十分な強度を確保できておらず、また、当該表示装置において十分な強度を確保しようとすれば補強している部分の厚みを厚くすることにより強度を確保することになるため、薄型化および狭額縁化を実現することは困難である。
【０００５】
そこで、本発明は、このような状況に鑑みてなされたものであり、表示パネルの強度を確保しつつ、薄型化および狭額縁化を実現できる表示装置、および表示装置の光学部材の支持構造を提供することを目的とする。
【課題を解決するための手段】
【０００６】
上記目的を達成するために、前面の画面に画像を表示する表示パネルと、前記表示パネルの背面側を覆うように配置され、前記表示パネルの背面側に向けて光を照射するバックライトユニットと、前記バックライトユニットの背面側に配置される背面部材と、前記表示パネルの周縁部を前面側から押さえ、かつ、前記背面部材に対して固定される枠状部材と、前記表示パネルと前記バックライトユニットとの間に設けられ、前記バックライトユニットの周縁部の少なくとも一部を前面側から押さえる、金属材料と同等以上の剛性を有する材料からなる支持部材と、を備え、前記支持部材は、前記表示パネルと接する位置に配置され、かつ、前記表示パネルの表面を保護する第一保護部材、および、前記バックライトユニットに接する位置に配置され、かつ、前記バックライトユニットの表面を保護する第二保護部材の少なくとも一方を有する。
【０００７】
本態様によれば、表示パネルとバックライトユニットとの間に金属材料と同等の剛性を有する材料からなる支持部材を設けたため、従来の表示パネルを前面側から押さえる金属製のベゼルを省略した上で、表示パネルおよびバックライトユニットの周縁部の強度を確保できる。
【０００８】
ここで、表示パネルおよびバックライトユニットに金属材料と同等の剛性を有する支持部材が接しているため、外部から衝撃が加えられた場合に、支持部材が表示パネルまたはバックライトユニットに対して傷をつける恐れがある。これを解決するために、支持部材の表示パネルおよびバックライトユニットと接する位置に配置される第一保護部材および第二保護部材の少なくとも一方が配置されている。このため、支持部材が表示パネルまたはバックライトユニットに対して傷をつけることを防ぐことができる。
【０００９】
また、例えば、前記支持部材における前記画面中央よりの端部では、前記バックライトユニットから照射される光が前記支持部材で反射されることを防ぐ反射防止処理が施されていてもよい。
【００１０】
本態様によれば、支持部材における画面中央よりの端部において、バックライトユニットから照射される光が支持部材で反射することを防ぐ反射防止処理が施されているため、バックライトユニットから照射された光が支持部材の背面側で反射されることを防ぐことができる。これにより、意図しない方向から表示パネルの背面側に向けて光が照射されることを防ぐことができ、表示パネルに表示する画像の品質を向上させることができる。
【００１１】
また、例えば、前記支持部材は、前記第二保護部材を有し、前記支持部材における前記画面中央よりの端部では、前記第二保護部材が配置されることにより、前記反射防止処理が施されていてもよい。
【００１２】
本態様によれば、支持部材における画面中央よりの端部に、第二保護部材が配置されることにより、反射防止処理が施されているため、支持部材がバックライトユニットに対して傷を付けることを防止しつつ、バックライトユニットから照射された光が支持部材の背面側で反射されることを防ぐことができる。このように、第二保護部材は、傷つき防止および反射防止の２つの機能を兼ねるため、それぞれの機能を１つずつの部品で実現する構成よりも、部品点数を少なくすることができる。このため、表示装置の生産コストを低減することができる。
【００１３】
また、例えば、前記支持部材は、前記バックライトユニットの周縁部を前面側から押さえる第一支持部と、前記第一支持部の外周縁から背面側に向けて連続して形成され、かつ、前記バックライトユニットの側方に配置される第二支持部と、により構成されていてもよい。
【００１４】
本態様によれば、支持部材は、バックライトユニットの周縁部の前面側を押さえる第一支持部の他に、バックライトユニットの側方側に第二支持部が形成されているため、バックライトユニットの強度をさらに確保することができる。また、支持部材は、第一支持部と第二支持部とによる断面Ｌ字型の構成であるため、例えば支持部材が第一支持部のみの構成と比較した場合、その強度をさらに確保することができる。
【００１５】
また、例えば、さらに、複数の電気部品を備え、前記支持部材は、電気伝導性を有する材料からなり、前記複数の電気部品のうちで前記支持部材の側方に配置される電気部品との間で絶縁するための絶縁処理が施されていてもよい。
【００１６】
本態様によれば、支持部材は電気伝導性を有する材料からなり、支持部材と複数の電気部品のうちで支持部材の側方に配置される電気部品との間において、絶縁処理が施されているため、例えば外部からの衝撃で電気部品が支持部材に接触した場合に、電気部品が支持部材に短絡することを防止できる。これにより、支持部材を介した短絡による電気部品の故障を防止することができる。
【００１７】
また、例えば、前記支持部材は、前記複数の電気部品のうちで前記支持部材の側方に配置される電気部品との間において、熱的に接続されていてもよい。
【００１８】
本態様によれば、複数の電気部品のうちで支持部材の側方に配置される電気部品との間を熱的に接続しているため、電気部品が発する熱を支持部材により放熱させることができる。
【００１９】
また、例えば、前記バックライトユニットは、光源と、前記光源からの光を内部に導入し、かつ、内部に導入した光を前記表示パネルの背面側に向けて照射する導光板と、前記導光板の前面側に配置される光学シートとを有し、前記導光板および前記光学シートのそれぞれは、その全ての外周縁が、前方から視た場合に、前記枠状部材および前記支持部材の少なくとも一方に重なっている積層状態で配置され、前記表示装置は、さらに、前記導光板、前記光学シート、および前記支持部材のそれぞれと、前記枠状部材および前記背面部材の少なくとも一方とが、前後方向に交差する方向へ相対的に移動することを規制する位置規制部を備えてもよい。
【００２０】
本態様によれば、位置規制部を有しているため、バックライトユニットを構成する導光板および光学シート、並びに、支持部材のそれぞれと、枠状部材および背面部材の少なくとも一方との相対位置が前後方向に交差する方向へずれることを抑制できる。このため、積層状態を容易に維持させることができる。
【００２１】
また、例えば、前記位置規制部は、前記背面部材または前記枠状部材に形成される突起部と、前記導光板の端部に形成される貫通部であって、前記積層状態で前記導光板の端部において前記突起部に貫通される第一貫通部と、前記光学シートに形成される貫通部であって、前記積層状態で前記第一貫通部とともに前記突起部に貫通される第二貫通部と、前記支持部材に形成される貫通部であって、前記積層状態で前記第一貫通部および前記第二貫通部ともに前記突起部に貫通される第三貫通部と、により構成されてもよい。
【００２２】
本態様によれば、バックライトユニットの導光板および光学シートと、支持部材とは、背面部材または枠状部材に形成されている突起部に貫通されることにより、それぞれが予め定められた位置で重ねられた状態で組立てられる。そして、枠状部材および背面部材は、予め定められた位置で固定されるため、少なくともこの構成により、導光板、光学シート、支持部材、枠状部材、および背面部材が予め定められた位置で重ねられて組立てられる。これにより、導光板、光学シート、および支持部材の背面部材または枠状部材への位置決めを容易に行うことができる。
【００２３】
また、例えば、前記表示パネルは、四角形であり、前記バックライトユニットは、前記表示パネルの形状に対応した四角形であり、前記支持部材は、前記バックライトユニットの周縁部である４辺を前面側から押さえる部材であり、かつ、当該４辺のそれぞれに対応した位置に、前記表示パネルを位置決めするための少なくとも４つの切り起し部が形成されていてもよい。
【００２４】
本態様によれば、支持部材はバックライトユニットの周縁部である４辺の全てを前方から押さえる部材であるため、表示パネルおよびバックライトユニットの強度を確実に確保することができる。また、支持部材には、表示パネルの位置決めを行うための切り起し部が４辺のそれぞれに対応した位置に設けられているため、さらに、表示パネルの位置決めを容易に行うことができる。
【００２５】
また、上記の光学部材の支持構造を有する表示装置として実現してもよい。
【発明の効果】
【００２６】
本発明の一態様に係る表示装置によれば、表示パネルの強度を確保しつつ、薄型化および狭額縁化を実現することができる。
【図面の簡単な説明】
【００２７】
【図１】実施の形態１に係る表示装置の外観を示す図である。
【図２】実施の形態１に係る表示装置を分解した状態を示す分解斜視図である。
【図３Ａ】図１中のＡ−Ａ線により切断した表示装置の左側の拡大断面図である。
【図３Ｂ】図１中のＡ−Ａ線により切断した表示装置の右側の拡大断面図である。
【図４Ａ】斜め前方から視た場合のセルガイドの外観斜視図である。
【図４Ｂ】図４Ａにおける領域Ａ１の拡大図である。
【図５】斜め後方から視た場合のセルガイドの外観斜視図である。
【図６】上部セルガイド、光学シート、導光板およびリアフレームの上部セルガイドの貫通孔に対応する部分を拡大した、分解斜視図である。
【図７】セルガイドの分解斜視図である。
【図８】実施の形態２に係る表示装置の図１中のＡ−Ａ線により切断した右側の拡大断面図である。
【図９】実施の形態３に係る表示装置の図１中のＡ−Ａ線により切断した右側の拡大断面図である。
【発明を実施するための形態】
【００２８】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２９】
（実施の形態１）
＜表示装置の全体構成＞
まず、図１〜図３を参照しながら、実施の形態１に係る表示装置の全体構成について説明する。なお、これらの図では、Ｘ軸方向を左右方向として示しており、Ｙ軸方向を上下方向として示しており、Ｚ軸方向を前後方向として示している。つまり、Ｘ軸プラス方向側を右方向とし、Ｘ軸マイナス方向側を左方向とし、Ｙ軸プラス方向側を上方向とし、Ｙ軸マイナス方向側を下方向とし、Ｚ軸プラス方向側を前方向とし、Ｚ軸マイナス方向側を後方向とする。ただし、使用態様によってはＸ軸方向、Ｙ軸方向、およびＺ軸方向がそれぞれ左右方向、上下方向、および前後方向にならない場合も考えられるため、これらに限定されない。なお、これは、他の図でも同様である。
【００３０】
図１は、実施の形態１に係る表示装置の外観を示す図である。図２は、実施の形態１に係る表示装置を分解した状態を示す分解斜視図である。図３Ａは、図１中のＡ−Ａ線により切断した表示装置の左側の拡大断面図である。図３Ｂは、図１中のＡ−Ａ線により切断した表示装置の右側の拡大断面図である。
【００３１】
図１、図２、図３Ａおよび図３Ｂに示すように、本実施の形態１に係る表示装置１００は、筐体４を備えた液晶テレビジョン受像機である。筐体４は、枠状部材としてのフロントキャビネット１０および背面部材としてのリアフレーム５０が相互に組み合わされることにより構成されている。
【００３２】
フロントキャビネット１０は、枠状に構成されており、後述する表示パネルとしての液晶セル２０の外周部を覆っている。つまり、フロントキャビネット１０は、液晶セル２０の周縁部を前面側からクッション部材７１（後述参照）を介して押さえつつ、リアフレーム５０に対して固定される。具体的には、図３Ａおよび図３Ｂに示すように、フロントキャビネット１０の左右両端に設けられ、後方に向かって延びるフック部１１を、リアフレーム５０に設けられている開口部５１に嵌合させることによりフロントキャビネット１０をリアフレーム５０に対して固定する。つまり、本実施の形態では、フロントキャビネット１０およびリアフレーム５０は、フック部１１および開口部５１から成るスナップフィットにより固定されている。なお、フロントキャビネット１０は、例えば樹脂で形成されている。
【００３３】
リアフレーム５０は、液晶セル２０の背面側を覆うようにして配置されている。なお、リアフレーム５０は、例えば樹脂で形成されている。リアフレーム５０の外面における中央部には、リアカバー６が取り付けられている。リアカバー６の内部には、液晶セル２０等に対して電力を供給するための電源基板等（図示せず）が配置されている。リアカバー６の下端部には、筐体４を下方より支持するためのスタンド１２が取り付けられている。なお、リアカバー６にはスタンド１２が取り付けられていなくてもよい。また、リアカバー６は、例えば樹脂で形成されている。
【００３４】
図２、図３Ａおよび図３Ｂに示すように、筐体４の内部には、液晶セル２０、セルガイド３０、バックライトユニット４０が配置されている。
【００３５】
液晶セル２０は、外形が矩形状の表示パネルであり、例えば、１９２０×１０８０の解像度で画像を表示することが可能な液晶表示パネルである。液晶セル２０は、複数の画素（例えば１９２０×１０８０の画素）のそれぞれにおいて設けられる赤色、緑色および青色のカラーフィルタ（図示しない）のそれぞれについて、バックライトユニット４０から照射された光の透過量を調整することにより複数の画素毎に所望の色を再現する装置である。つまり、液晶セル２０は、複数の画素のそれぞれにおいて所望の色を再現することにより、前面の画面に所望の画像を表示させることができる。
【００３６】
バックライトユニット４０は、複数の光学シート４１〜４３と、導光板４４と、反射シート４５と、光源としてのＬＥＤ（Ｌｉｇｈｔ  Ｅｍｉｔｔｉｎｇ  Ｄｉｏｄｅ）バー４６とにより構成される。
【００３７】
複数の光学シート４１〜４３は、導光板４４の前面側に配置される。複数の光学シート４１〜４３は、例えば、導光板４４の前面から照射された光を拡散して均一化する拡散シート、均一化された光を液晶セル２０に対して効率よく照射させるための集光シート等を含む。
【００３８】
導光板４４は、光源からの光を内部に導入し、かつ、内部に導入した光を液晶セル２０の背面側に向けて照射する、液晶セル２０の形状に対応した形状の板状部材である。導光板４４は、側方から導入された光が液晶セル２０の背面の全体に向けて照射されるように、当該光を反射する。なお、図３Ａおよび図３Ｂに示すように、複数の光学シート４１〜４３および導光板４４のそれぞれは、その全ての外周縁が、セルガイド３０と重なっている状態（積層状態）で配置されている。
【００３９】
ＬＥＤバー４６は、長尺板状部材４６ｂの主面に複数のＬＥＤ４６ａがその長手方向に沿って一列に所定の間隔を空けて並んで配置されることにより構成される。ＬＥＤバー４６は、図３Ｂに示すように、導光板４４の右側に配置され、左側、つまり導光板４４の右側面に向けて光を照射する。
【００４０】
また、図３Ｂに示すように、リアフレーム５０の右側には、ＬＥＤバー４６を配置するためのヒートシンク８０が設けられている。ヒートシンク８０は、断面がＬ字型の金属製部材であり、Ｙ−Ｚ平面に平行な第一ヒートシンク８０ａと、Ｘ−Ｙ平面に平行な第二ヒートシンク８０ｂとにより構成される。第一ヒートシンク８０ａは、リアフレーム５０の内部の右端に配置される。また、第二ヒートシンク８０ｂは、リアフレーム５０に形成されておりリアフレーム５０の背面側の面から前方に延びるリブ５２の上端に接するように配置される。つまり、ヒートシンク８０は、リアフレーム５０の内部において右後側の端部に配置される。そして、ＬＥＤバー４６は、長尺板状部材４６ｂが第一ヒートシンク８０ａに沿って配置される。このように、ＬＥＤバー４６は、ヒートシンク８０に接した状態で配置されるため、ＬＥＤバー４６で発生した熱を効率よく放熱させることができる。
【００４１】
また、ＬＥＤバー４６の左方には、導光板４４の右端の前後方向の位置決めをするためのスペーサ８１が第二ヒートシンク８０ｂおよびＬＥＤバー４６の長尺板状部材４６ｂのＬＥＤ４６ａよりも後方の部分と接した状態で設けられている。導光板４４は、反射シート４５を介して、スペーサ８１によりＬＥＤバー４６のＬＥＤ４６ａの光軸に合致する位置に配置されることになる。
【００４２】
セルガイド３０は、液晶セル２０とバックライトユニット４０との間に設けられ、バックライトユニット４０の周縁部の少なくとも一部を前面側から押さえる例えばＳＥＣＣ（Ｓｔｅｅｌ  Ｅｌｅｃｔｒｉｃａｌｌｙ  Ｃｈｒｏｍａｔｅ  Ｃｏａｔｅｄ：電気亜鉛メッキ綱）などの金属製の部材である。また、セルガイドは、ＳＥＣＣに限らずに、アルミニウムまたはアルミニウム合金、銅または銅合金、ステンレス鋼などで構成されてもよい。セルガイド３０は、本実施の形態では、バックライトユニット４０の周縁部である４辺を前面側から押さえる部材である。
【００４３】
また、セルガイド３０は、液晶セル２０と接する位置に配置され、かつ、液晶セル２０の表面を保護する第一保護部材としてのクッション部材７２と、バックライトユニット４０に接する位置に配置され、かつ、バックライトユニット４０の表面を保護するクッション部材７３とを有する。つまり、クッション部材７２は、液晶セル２０の表面における領域であって、セルガイド３０が液晶セル２０とＺ軸方向視において重なる領域を保護する。また、クッション部材７３は、バックライトユニット４０の表面における領域であって、セルガイド３０がバックライトユニット４０とＺ軸方向視において重なる領域を保護する。また、クッション部材７２、７３は、例えば、樹脂（ポリウレタンなど）を発泡させることで形成される多孔質で弾性を有する部材である。なお、フロントキャビネット１０に設けられるクッション部材７１もクッション部材７２、７３と同様の材料から構成される。なお、第一保護部材および第二保護部材は、上記のようなクッション部材７２、７３に限らずに、例えばシリコーン系の樹脂、ウレタン系の樹脂などを含むシーリング材を利用してもよい。シーリング材を第一保護部材および第二保護部材として利用する場合には、組み立て工程において、シーリング材を機械によってセルガイド３０に塗布することができるため、組立効率を向上させることができる。つまり、クッション部材７１〜７３は、液晶セル２０の表面またはバックライトユニット４０の表面を保護できる、樹脂（ゴム状の物質を含む）からなる弾性部材である。
【００４４】
ここで、セルガイド３０のバックライトユニット４０側に配置されるクッション部材７３は、セルガイド３０の内周側の端部（内周縁を含む）位置に設けられていてもよい。この場合、クッション部材７３は、少なくともその表面がバックライトユニット４０からの光を吸収する素材で構成されていることが好ましい。つまり、セルガイド３０の内側の端部（セルガイド３０における画面中央よりの端部）では、クッション部材７３が配置されることにより、バックライトユニット４０から照射される光がセルガイド３０で反射されることを防ぐ反射防止処理が施されている。これにより、クッション部材７３は、バックライトユニット４０から照射された光がセルガイド３０の背面側で反射されることを防ぐことができる。
【００４５】
＜セルガイドの具体的な構成＞
図４Ａは、斜め前方から視た場合のセルガイドの外観斜視図である。図４Ｂは、図４Ａにおける領域Ａ１の拡大図である。図５は、斜め後方から視た場合のセルガイドの外観斜視図である。
【００４６】
図４Ａに示すように、セルガイド３０は、バックライトユニット４０の４辺のそれぞれ対応した位置に４つの右部セルガイド３１、左部セルガイド３２、上部セルガイド３３および下部セルガイド３４が配置される。つまり、右部セルガイド３１はバックライトユニット４０の右端の辺に対応する位置に配置され、左部セルガイド３２はバックライトユニット４０の左端の辺に対応する位置に配置され、上部セルガイド３３はバックライトユニット４０の上端の辺に対応する位置に配置され、下部セルガイド３４はバックライトユニット４０の下端の辺に対応する位置に配置される。
【００４７】
また、セルガイド３０は、バックライトユニット４０の４辺のそれぞれに対応した位置に、液晶セル２０を位置決めするための８つの切り起し部３１ｃ、３２ｃ、３３ｃ、３４ｃが形成されている。具体的には、右部セルガイド３１は、その両端部のそれぞれにおいて、液晶セル２０が右側に移動することを規制する切り起し部３１ｃが形成されている。また、左部セルガイド３２は、その両端部のそれぞれにおいて、液晶セル２０が左側に移動することを規制する切り起し部３２ｃが形成されている。また、上部セルガイド３３は、その両端部のそれぞれにおいて、液晶セル２０が上側に移動することを規制する切り起し部３３ｃが形成されている。また、下部セルガイド３４は、その両端部のそれぞれにおいて、液晶セル２０が下側に移動することを規制する切り起し部３４ｃが形成されている。また、図４Ｂに示すように、各切り起し部３１ｃ、３２ｃ、３３ｃ、３４ｃの内側の面には、第三保護部材としてのクッション部材７４がそれぞれ設けられていてもよい。なお、クッション部材７４は、クッション部材７２、７３と同様の材料である。このように、セルガイド３０の８つの切り起し部３１ｃ、３２ｃ、３３ｃ、３４ｃの内側の面にクッション部材７４を設けた場合には、セルガイド３０が液晶セル２０の側面と接触する位置においても保護部材を設けることになるため、さらに、液晶セル２０への傷付きを防止することができる。
【００４８】
また、セルガイド３０は、図５に示すように、バックライトユニット４０の周縁部の前面側を押さえる第一支持部３０ａと、第一支持部３０ａの外周縁から背面側に向けて連続して形成され、かつ、バックライトユニット４０の側方に配置される第二支持部３０ｂとにより構成されている。セルガイド３０を構成する右部セルガイド３１、左部セルガイド３２、上部セルガイド３３および下部セルガイド３４は、それぞれ、金属製の長尺板状部材に対してプレス加工により断面がＬ字型になるように形成される。つまり、本実施の形態では、右部セルガイド３１は、第一支持部３０ａの右側を構成する部分である第一右部セルガイド３１ａと、第二支持部３０ｂの右側を構成する部分である第二右部セルガイド３１ｂとから成る。また、同様に、左部セルガイド３２は、第一支持部３０ａの左側を構成する部分である第一左部セルガイド３２ａと、第二支持部３０ｂの左側を構成する部分である第二左部セルガイド３２ｂとから成る。また、同様に、上部セルガイド３３は、第一支持部３０ａの上側を構成する部分である第一上部セルガイド３３ａと、第二支持部３０ｂの上側を構成する部分である第二上部セルガイド３３ｂとから成る。また、同様に、下部セルガイド３４は、第一支持部３０ａの下側を構成する部分である第一下部セルガイド３４ａと、第二支持部３０ｂの下側を構成する部分である第二下部セルガイド３４ｂとから成る。また、プレス加工は、第一支持部３０ａおよび第二支持部３０ｂを形成する場合だけでなく、８つの切り起し部３１ｃ、３２ｃ、３３ｃ、３４ｃを各セルガイド３１〜３４に形成する場合にも行われる。
【００４９】
表示装置１００は、さらに、図６に示すように、セルガイド３０、複数の光学シート４１〜４３、および導光板４４のそれぞれが、フロントキャビネット１０またはリアフレーム５０に対して、上下左右方向のいずれかの方向に相対的に移動することを規制するための位置規制部５５を有する。
【００５０】
また、図４Ａに示すように、上部セルガイド３３および下部セルガイド３４には、左右方向の中央付近にそれぞれ、第三貫通部としての貫通孔３３ｅ、３４ｅが形成されている。
【００５１】
図６は、上部セルガイド、光学シート、導光板およびリアフレームの上部セルガイドの貫通孔に対応する部分を拡大した、分解斜視図である。
【００５２】
図６に示すように、セルガイド３０のうちの上部セルガイド３３に形成されている貫通孔３３ｅに対応する位置では、複数の光学シート４１〜４３は、その上部の左右方向における中央付近に上部に向かって突出するシート状の貫通孔形成部４１ａ、４２ａ、４３ａがそれぞれ形成されている。そして、各貫通孔形成部４１ａ、４２ａ、４３ａには、Ｘ−Ｙ平面上において貫通孔３３ｅに一致する位置に第二貫通部としての貫通孔４１ｂ、４２ｂ、４３ｂが形成されている。つまり、複数の光学シート４１〜４３は、貫通孔４１ｂ、４２ｂ、４３ｂが形成されるための領域である貫通孔形成部４１ａ、４２ａ、４３ａが設けられている。さらに、導光板４４は、貫通孔３３ｅの左右の外側に一致する位置において上方に突出する、第一貫通部としての一対の突出部４４ａが形成されている。つまり、一対の突出部４４ａの間の幅と、貫通孔３３ｅの左右方向の幅とは、一致するように形成されている。なお、導光板に形成される第一貫通部は、貫通孔として形成されていてもよい。
【００５３】
そして、リアフレーム５０は、その背面から前方に向かって延び、かつ、貫通孔３３ｅ、４１ｂ、４２ｂ、４３ｂおよび一対の突出部４４ａの間の空間を貫通する、突起部５０ａを有する。これらの、上部セルガイド３３、複数の光学シート４１〜４３、および導光板４４は、それぞれの貫通孔３３ｅ、４１ｂ、４２ｂ、４３ｂおよび一対の突出部４４ａの間の空間がリアフレーム５０の突出部４４ａに貫通された状態で重ねられることにより、それぞれがリアフレーム５０における所定の位置に配置されることになる。つまり、上記の状態で上部セルガイド３３、複数の光学シート４１〜４３、および導光板４４が重ねられることにより、複数の光学シート４１〜４３および導光板４４のそれぞれは、その全ての外周縁が、セルガイド３０と重なるように配置されることになる。
【００５４】
つまり、位置規制部５５は、リアフレーム５０の突起部５０ａと、セルガイド３０の上部セルガイド３３の貫通孔３３ｅと、複数の光学シート４１〜４３の貫通孔４１ｂ、４２ｂ、４３ｂと、導光板４４の突出部４４ａと、により構成される。ここで、さらに、セルガイド３０は、８つの切り起し部３１ｃ、３２ｃ、３３ｃ、３４ｃにより、液晶セル２０が上下左右方向へのセルガイド３０に対する移動をしないように、液晶セル２０を位置規制しているため、筐体４と、液晶セル２０と、セルガイド３０と、バックライトユニット４０とのそれぞれは、相対的に上下左右方向への移動が規制されている状態となっている。
【００５５】
なお、第一〜第三貫通部としてのセルガイド３０の上部セルガイド３３の貫通孔３３ｅと、複数の光学シート４１〜４３の貫通孔４１ｂ、４２ｂ、４３ｂと、導光板４４の突出部４４ａとを貫通するための突起部は、リアフレーム５０に形成されていなくてもよく、フロントキャビネット１０に形成されていてもよい。つまり、位置規制部は、筐体４に対する、セルガイド３０およびバックライトユニット４０の上下左右方向への移動を規制できればその形態は問わない。
【００５６】
図７は、セルガイドの分解斜視図である。
【００５７】
図７に示すように、セルガイド３０を構成する、右部セルガイド３１、左部セルガイド３２、上部セルガイド３３、および下部セルガイド３４のそれぞれは、両端に隣接する部材と締結されるための締結孔３１ｄ、３２ｄ、３３ｄ、３４ｄを有する。つまり、セルガイド３０は、図４Ａのように組み合わせられた状態で、ビス留めされている。なお、締結孔３１ｄ、３２ｄ、３３ｄ、３４ｄは、第二支持部３０ｂに形成されているが、第一支持部３０ａに形成してもよい。つまり、セルガイド３０は、上下左右方向からビス留めされているが、前後方向からビス留めされてもよい。また、右部セルガイド３１、左部セルガイド３２、上部セルガイド３３、および下部セルガイド３４がビス留めされることにより締結されなくてもよく、リベットで締結してもよいし、それぞれの端部を重ねた後にかしめることにより締結してもよいし、スナップフィットを利用して締結してもよいし、溶接または溶着で締結してもよい。
【００５８】
（特徴）
（１）
本実施の形態１に係る表示装置１００によれば、液晶セル２０とバックライトユニット４０との間に金属材料からなるセルガイド３０を設けたため、従来の表示装置に設けられていた、液晶セルを前面側から押さえる金属製のベゼルを省略した上で、液晶セル２０およびバックライトユニット４０の周縁部の強度を確保できる。
【００５９】
ここで、液晶セル２０およびバックライトユニット４０に金属材料からなるセルガイド３０が接しているため、外部から衝撃が加えられた場合に、セルガイド３０が液晶セル２０またはバックライトユニット４０に対して傷をつける恐れがある。これを解決するために、セルガイド３０の液晶セル２０およびバックライトユニット４０と接する位置に配置されるクッション部材７２、７３が配置されている。このため、セルガイド３０が液晶セル２０またはバックライトユニット４０に対して傷をつけることを防ぐことができる。
【００６０】
（２）
また、本実施の形態１に係る表示装置１００によれば、セルガイド３０における画面中央よりの端部において、バックライトユニット４０から照射される光がセルガイド３０で反射することを防ぐ反射防止処理が施されているため、バックライトユニット４０から照射された光がセルガイド３０の背面側で反射されることを防ぐことができる。これにより、意図しない方向から液晶セル２０の背面側に向けて光が照射されることを防ぐことができ、液晶セル２０に表示する画像の品質を向上させることができる。
【００６１】
（３）
また、本実施の形態１に係る表示装置１００によれば、セルガイド３０における画面中央よりの端部に、クッション部材７３が配置されることにより、反射防止処理が施されているため、セルガイド３０がバックライトユニット４０に対して傷を付けることを防止しつつ、バックライトユニット４０から照射された光がセルガイド３０の背面側で反射されることを防ぐことができる。このように、クッション部材７３は、傷つき防止および反射防止の２つの機能を兼ねるため、それぞれの機能を１つずつの部品で実現する構成よりも、部品点数を少なくすることができる。このため、表示装置１００の生産コストを低減することができる。
【００６２】
（４）
また、本実施の形態１に係る表示装置１００によれば、セルガイド３０は、バックライトユニット４０の周縁部の前面側を押さえる第一支持部３０ａの他に、バックライトユニット４０の側方側に第二支持部３０ｂが形成されているため、バックライトユニット４０の強度をさらに確保することができる。また、セルガイド３０は、第一支持部３０ａと第二支持部３０ｂとによる断面Ｌ字型の構成であるため、例えばセルガイド３０が第一支持部３０ａのみの構成と比較した場合、その強度をさらに確保することができる。
【００６３】
（５）
また、本実施の形態１に係る表示装置１００によれば、位置規制部５５を有しているため、バックライトユニット４０を構成する導光板４４および複数の光学シート４１〜４３、並びに、セルガイド３０のそれぞれと、リアフレーム５０との相対位置が上下左右方向へずれることを規制できる。このため、積層状態を容易に維持させることができる。
【００６４】
（６）
また、本実施の形態１に係る表示装置１００によれば、バックライトユニット４０の導光板４４および複数の光学シート４１〜４３と、セルガイド３０とは、リアフレーム５０に形成されている突起部５０ａに貫通されることにより、それぞれが予め定められた位置で重ねられた状態（積層状態）で組立てられる。そして、フロントキャビネット１０およびリアフレーム５０は、予め定められた位置でスナップフィットにより固定されるため、少なくともこの構成により、導光板４４、複数の光学シート４１〜４３、セルガイド３０、フロントキャビネット１０、およびリアフレーム５０が予め定められた位置で重ねられて組立てられる。これにより、導光板４４、複数の光学シート４１〜４３、およびセルガイド３０のフロントキャビネット１０またはリアフレーム５０に対する位置決めを容易に行うことができる。
【００６５】
（７）
また、本実施の形態１に係る表示装置１００によれば、セルガイド３０はバックライトユニット４０の周縁部である４辺の全てを前方から押さえる部材であるため、液晶セル２０およびバックライトユニット４０の強度を確実に確保することができる。またセルガイド３０には、液晶セル２０の位置決めを行うための切り起し部３１ｃ、３２ｃ、３３ｃ、３４ｃが４辺のそれぞれに対応した位置に設けられているため、さらに、液晶セル２０の位置決めを容易に行うことができる。
【００６６】
（実施の形態２）
図８は、実施の形態２に係る表示装置の図１中のＡ−Ａ線により切断した右側の拡大断面図である。なお、図８では、実施の形態１で説明した構成と同じ構成には、実施の形態１での符号と同じ符号を付している。このため、当該構成の説明は省略する。
【００６７】
図８に示すように、セルガイド３０の側方には、液晶セル２０に接続されているドライバ回路９０が配置されている。実施の形態１では特に言及していなかったが、上述のようにドライバ回路９０がセルガイド３０の側方に配置される構成である場合には、セルガイド３０とドライバ回路９０との間に、絶縁部材９１を設けることが好ましい。つまり、セルガイド３０は、複数の電気部品のうちでセルガイド３０の側方に配置される電気部品であるドライバ回路９０との間で絶縁するための絶縁処理が施されていることが好ましい。なお、絶縁処理としては図８のように絶縁部材９１を配置しなくてもよく、セルガイド３０のドライバ回路９０側の面に絶縁シートを貼り付けるような構成であってもよい。
【００６８】
本実施の形態２に係る表示装置１００ａによれば、セルガイド３０は電気伝導性を有する金属材料からなり、セルガイド３０と複数の電気部品のうちでセルガイド３０の側方に配置される電気部品であるドライバ回路９０との間において、絶縁処理が施されているため、例えば外部からの衝撃でドライバ回路９０がセルガイド３０に接触した場合に、ドライバ回路９０がセルガイド３０に短絡することを防止できる。これにより、セルガイド３０を介した短絡によるドライバ回路９０やその他の電気部品の故障を防止することができる。
【００６９】
（実施の形態３）
図９は、実施の形態３に係る表示装置の図１中のＡ−Ａ線により切断した右側の拡大断面図である。なお、図９では、実施の形態１および実施の形態２で説明した構成と同じ構成には、実施の形態１および実施の形態２での符号と同じ符号を付している。このため、当該構成の説明は省略する。
【００７０】
図９に示すように、セルガイド３０の側方には、実施の形態２と同様に液晶セル２０が配置されているドライバ回路９０が配置されている。実施の形態３の表示装置１００ｂでは、セルガイド３０とドライバ回路９０との間を熱伝導性の高い絶縁部材９１ａにより熱的に接続している。
【００７１】
なお、上記実施の形態３に係る表示装置１００ｂによれば、複数の電気部品のうちでセルガイド３０の側方に配置されるドライバ回路９０との間を熱伝導性の高い材料からなる絶縁部材９１ａにより熱的に接続しているため、ドライバ回路９０が発する熱を金属材料から成り熱伝導性および熱放射性の高いセルガイド３０により効率よく放熱させることができる。
【００７２】
（変形例）
（１）
なお、上記実施の形態１に係る表示装置１００では、セルガイド３０の前面側および後面側の両方にクッション部材７２、７３が設けられているが、これに限らずに、少なくともいずれか一方が設けられていればよい。つまり、この場合の表示装置では、クッション部材が設けられた側にある、液晶セル２０またはバックライトユニット４０が傷つくことを防止できる。
【００７３】
（２）
なお、上記実施の形態１に係る表示装置１００では、位置規制部５５は、表示装置１００の左右方向の中央における上部の一箇所に形成されているが、二箇所以上に形成されていてもよい。なお、二箇所以上に位置規制部を設ける場合に、光学シートおよび導光板の温度変化による膨張および収縮による影響を受けないために、一箇所のみを固定端とし、その他の箇所では自由端とすることが好ましい。
【００７４】
（３）
上記実施の形態１〜３に係る表示装置１００、１００ａ、１００ｂでは、セルガイド３０は、金属材料から構成されるが、金属材料と同等以上の剛性を有する材料で構成してもよい。この場合、例えば、セルガイドはセラミックス、カーボンファイバーなどが考えられる。
【００７５】
（４）
上記実施の形態１〜３に係る表示装置１００、１００ａ、１００ｂでは、液晶セル２０の形状は、矩形状としているが、これに限らずに、四角形、正方形、円形、楕円形などであってもよい。また、液晶セル２０は、平面に限らずに、湾曲していてもよい。
【００７６】
（５）
上記実施の形態１〜３に係る表示装置１００、１００ａ、１００ｂでは、セルガイド３０は、右部セルガイド３１、左部セルガイド３２、上部セルガイド３３、および下部セルガイド３４の４つの部材から構成されているが、これに限らない。セルガイドは、１つの部材から構成してもよいし、２つの部材を組み合わせて構成してもよい。なお、セルガイドが１つの部材から構成される場合には、導光板および光学シートのそれぞれは、その全ての外周縁が、フロントキャビネットおよびセルガイドの少なくとも一方と重なるように配置されればよい。
【００７７】
また、セルガイド３０は、バックライトユニット４０の前面側を押さえる第一支持部３０ａと、バックライトユニット４０の側面を覆う第二支持部３０ｂとから成る、断面がＬ字型の部材であるが、これに限らずに、少なくとも第一支持部３０ａに相当する構成を有していればよい。この場合であっても、セルガイドは、液晶セル２０およびバックライトユニット４０の外周縁の強度を確保するという効果を有する。
【００７８】
また、セルガイド３０は、液晶セル２０およびバックライトユニット４０の４辺に対応する位置に設けられているが、少なくとも１辺に対応する位置に設けられていればよい。この場合であっても、セルガイド３０は、液晶セル２０およびバックライトユニット４０の強度を確保するという効果を有する。
【００７９】
（６）
上記実施の形態１〜３に係る表示装置１００、１００ａ、１００ｂでは、セルガイド３０は、液晶セル２０を位置決めするための切り起し部３１ｃ、３２ｃ、３３ｃ、３４ｃが設けられているが、位置決めするための位置規制部は、切り起こしにより形成されることに限らずに、凸押しにより形成されてもよいし、溶接などによりたてられたスタッドとしてもよい。
【００８０】
（７）
上記実施の形態１〜３に係る表示装置１００、１００ａ、１００ｂでは、セルガイド３０の内側の端部に、クッション部材７３が配置されることにより、バックライトユニット４０から照射される光がセルガイド３０で反射されることを防ぐ反射防止処理が施されているが、クッション部材７３による反射防止処理に限らない。例えば、反射防止処理は、セルガイド３０の第一支持部３０ａの背面側の面であって、少なくともクッション部材７３よりも画面中央よりの領域に光を吸収する材料で構成される塗料（例えば黒色の塗料）を塗布することにより行われてもよいし、当該領域に光を吸収する材料で構成されるテープ（例えば表面が黒色のテープ）を貼り付けることにより行われてもよい。
【００８１】
（８）
上記実施の形態１〜３に係る表示装置１００、１００ａ、１００ｂでは、バックライトユニット４０は、エッジライト型のバックライトユニットであるが、これに限らずに、直下型のバックライトユニットに対しても適用可能である。
【産業上の利用可能性】
【００８２】
本発明は、表示パネルの強度を確保しつつ、薄型化および狭額縁化を実現することができる表示装置、特に、液晶ディスプレイ、液晶テレビなどとして有用である。
【符号の説明】
【００８３】
４    筐体
６    リアカバー
１０    フロントキャビネット
１１    フック部
１２    スタンド
２０    液晶セル
３０    セルガイド
３０ａ    第一支持部
３０ｂ    第二支持部
３１    右部セルガイド
３１ａ    第一右部セルガイド
３１ｂ    第二右部セルガイド
３１ｃ、３２ｃ、３３ｃ、３４ｃ    切り起し部
３１ｄ、３２ｄ、３３ｄ、３４ｄ    締結孔
３２    左部セルガイド
３２ａ    第一左部セルガイド
３２ｂ    第二左部セルガイド
３３    上部セルガイド
３３ａ    第一上部セルガイド
３３ｂ    第二上部セルガイド
３３ｅ、３４ｅ    貫通孔
３４    下部セルガイド
３４ａ    第一下部セルガイド
３４ｂ    第二下部セルガイド
４０    バックライトユニット
４１、４２、４３    光学シート
４１ａ、４２ａ、４３ａ    貫通孔形成部
４１ｂ、４２ｂ、４３ｂ    貫通孔
４４    導光板
４４ａ    突出部
４５    反射シート
４６    ＬＥＤバー
４６ａ    ＬＥＤ
４６ｂ    長尺板状部材
５０    リアフレーム
５０ａ    突起部
５１    開口部
５２    リブ
５５    位置規制部
７１〜７４    クッション部材
８０    ヒートシンク
８０ａ    第一ヒートシンク
８０ｂ    第二ヒートシンク
８１    スペーサ
９０    ドライバ回路
９１、９１ａ    絶縁部材
１００、１００ａ、１００ｂ    表示装置
【図１】
2015040921.tif 000003
【図２】
2015040921.tif 000004
【図３Ａ】
2015040921.tif 000005
【図３Ｂ】
2015040921.tif 000006
【図４Ａ】
2015040921.tif 000007
【図４Ｂ】
2015040921.tif 000008
【図５】
2015040921.tif 000009
【図６】
2015040921.tif 000010
【図７】
2015040921.tif 000011
【図８】
2015040921.tif 000012
【図９】
2015040921.tif 000013